(57)【要約】【課題】  ノズル管を地中に打ち込み挿入する際に、圧縮されるスプリングによって草類を地面に押圧し、上昇するノズル管への草類の付着を防止し、ノズル管の打ち込み挿入及び肥料等の地中供給資材の吐出をスムースに行う地中供給資材の供給作業機におけるノズル部構造を提供する。【解決手段】  下向き直杆状のノズル管１７をノズル作動機構１５によって地中に打ち込み挿入し、該ノズル管１７のノズル孔１６から肥料又は消毒液等の地中供給資材を地中に供給するノズル部構造であって、前記ノズル管１７にコイル状のスプリング３０を嵌挿し、該スプリング３０の上部をノズル管１７の上部に取付固定すると共に、下部を自由端としたノズル部構造にする。【選択図】        図２
2005124469.tif 000002
【特許請求の範囲】
【請求項１】
下向き直杆状のノズル管（１７）をノズル作動機構（１５）によって地中に打ち込み挿入し、該ノズル管（１７）のノズル孔（１６）から肥料又は消毒液等の地中供給資材を地中に供給するノズル部構造であって、前記ノズル管（１７）にコイル状のスプリング（３０）を嵌挿し、該スプリング（３０）の上部をノズル管（１７）の上部に取付固定すると共に、下部を自由端としたことを特徴とする地中供給資材の供給作業機におけるノズル部構造。
【請求項２】
スプリング（３０）を円錐形状のコイルスプリングで形成し、その上部の小径部をノズル管（１７）に嵌挿し取付固定した請求項１記載の地中供給資材の供給作業機におけるノズル部構造。
【請求項３】
ノズル管（１７）に挿入したスプリング（３０）の下端部をノズル孔（１６）の近傍上方に位置させた請求項１又は２の地中供給資材の供給作業機におけるノズル部構造。
【発明の詳細な説明】
【技術分野】
【０００１】
本発明は、下向き直杆状のノズル管を地中に打ち込み挿入し、肥料又は消毒液等の供給資材を地中に供給する地中供給資材の供給作業機におけるノズル部構造に関する。
【背景技術】
【０００２】
従来、田畑等の圃場に対し機体を走行させながら、地中供給資材としてペースト肥料等の流動性肥料を、ノズル部構造によって地中施肥を行う施肥機（供給作業機）は特許文献１で示されるように既に知られている。
このノズル部構造は下向き直杆状のノズル管をノズル作動機構によって上下作動し、ノズル管を地中に打ち込み挿入した状態で、該ノズル管のノズル孔から流動性肥料を地中の所定深さに吐出供給する構成となっている。
【０００３】
【特許文献１】特開２００２−３６００２５号公報（第３ページ，図１）
【発明の開示】
【発明が解決しようとする課題】
【０００４】
上記特許文献１で示されるノズル部構造は、直杆状のノズル管を地中に打ち込み挿入し肥料を吐出したのち上昇させると、圃場に散乱している藁屑や植生している雑草（以下草類と言う）をノズル管の中途部から先端部にわたって引っ掛け、これが除去されないまま草類を巻き付けて引きずり、この付着状態で次の打ち込み挿入が行われる。このように草類を付着したまま再打ち込みを行うと泥土の付着も加わり団塊状になって、ノズル管の打ち込み挿入抵抗を増大せしめると共に、草類や泥土（付着物）がノズル孔を塞ぎ肥料の吐出を阻害する等の問題がある。
【課題を解決するための手段】
【０００５】
上記課題を解決するために、この地中供給資材の供給作業機におけるノズル部構造は、第１に、下向き直杆状のノズル管１７をノズル作動機構１５によって地中に打ち込み挿入し、該ノズル管１７のノズル孔１６から肥料又は消毒液等の地中供給資材を地中に供給するズル部構造を備えた地中供給作業機１において、前記ノズル管１７にコイル状のスプリング３０を嵌挿し、該スプリング３０の上部をノズル管１７の上部に取付固定すると共に、下部を自由端としたことを特徴としている。
【０００６】
第２に、スプリング３０を円錐形状のコイルスプリングで形成し、その上部の小径部をノズル管１７に嵌挿し取付固定したことを特徴としている。
【０００７】
第３に、ノズル管１７に挿入したスプリング３０の下端部をノズル孔１６の近傍上方に位置させることを特徴としている。
【発明の効果】
【０００８】
以上のように本発明によれば、ノズル管に嵌挿し取付固定したスプリングは下部を自由端となして昇降作動されるから、ノズル管を地中に打ち込み挿入する際に、圧縮されるスプリングが自由端によって草類を地面に押圧するので、押し付けられた草類は上昇するノズル管に付着することがない。またノズル管に付着した泥土等も上昇時に延びるスプリングによって掻き落とされるので、草類が付着したままの再打ち込みを防止し、ノズル管の打ち込み挿入及び地中供給資材の吐出をスムースに行う。
【０００９】
また円錐形状のコイルスプリングで形成したスプリングの大径部は、打ち込みされるノズル管の周囲に存在する草類を広い範囲で押圧する。さらにスプリングの下端部をノズル孔の近傍上方に位置せしめることにより、ノズル管は打ち込み初期にスプリングを圧縮することなく地中への挿入をスムースに行う。
【発明を実施するための最良の形態】
【００１０】
本発明の一実施形態を図面に基づいて説明する。図１において符号１は本発明に係わるノズル構造によって圃場への地中施肥を行う施肥機である。この施肥機１は機体ベースとなる機体フレーム２に、前部からエンジン３を搭載し、該エンジン３の後方に左右の車輪４を軸支したトランスミッション５と、左右の尾輪６を軸支し後部に操縦ハンドル７を設けた施肥作業部８を配置構成している。またエンジン３の上方には、地中供給資材としてのペースト肥料等の流動性肥料を収容する肥料タンク９（資材タンク）を支持している。  
【００１１】
上記施肥作業部８は、エンジン３からトランスミッション５を介して伝動される駆動ケース１０と、該駆動ケース１０から伝動される施肥ポンプ１１と、該施肥ポンプ１１から供給される肥料を可撓性を有する施肥パイプ１２を介して地中に施肥するノズル部１３と、左右のノズル部１３を交互に上下作動せしめるノズル作動機構１５を車輪４の後方で駆動ケース１０の左右に配設した構成とからなっている。
【００１２】
この構成により施肥機１は、作業者が後方に突出するハンドル７を把持し左右の車輪４で畝を跨ぐ態様で走行されるとき、駆動ケース１０から施肥ポンプ１１及びノズル作動機構１５が駆動されることにより、左右のノズル部１３を交互に昇降せしめ、畝の左右部分に対し所定間隔毎に肥料タンク１３内の肥料を地中に点注状に施肥する。
【００１３】
尚、施肥ポンプ１１はノズル部１３が下降し最下部（下死点）に至ったとき、ノズル部１３の先端に形成されたノズル孔１６から肥料を吐出せしめるように、ノズル作動機構１５の作動に同期して間歇施肥を行うように連携構成されている。またノズル部１３による施肥深さは尾輪６を上下調節し、後述するノズル管１７の地中挿入量を規定して行う構成となっている。
【００１４】
次に、図１，図２を参照しノズル作動機構１５に取付支持されるノズル部１３のノズル部構造について説明する。尚、機体右側に配置されるノズル部構造については左側のものと同構造であるため説明を省略する。先ずノズル作動機構１５は機体フレーム２に立設支持され駆動ケース１０の側方に配置された平板状の昇降ガイド部材２０と、該昇降ガイド部材２０の外側に沿って昇降可能に支持されノズル部１３を上向き姿勢で支持する昇降杆２１とからなる。
【００１５】
この昇降ガイド部材２０は従来のものと同様な構成を以て、その上部に駆動ケース１０の駆動軸２２を側方に突出して軸支し、該駆動軸２２の端部に回転アーム２３を取付固定すると共に、前側面の上下方向に円弧状の長溝からなるガイド溝２６を穿設し、該ガイド溝２６に昇降杆２１の下部に軸支したガイドアーム２５の上部をスライド可能に案内支持する構成となっている。
【００１６】
これにより昇降杆２１は、その上部を回転アーム２３に軸支し且つ下部がガイドアーム２５を介しガイド溝２６に支持され、昇降杆２１の下部に取付固定するノズル管１７を略鉛直姿勢となるように支持される。
そして、昇降杆２１はその下部外側面に突設した取付ホルダー２７に、丸パイプ状の管路を形成する鋼管からなるノズル管１７の上部を、ねじ込み構造によって着脱可能に取付固定される。
【００１７】
ノズル部１３は、昇降杆２１に取付固定されるノズル管１７の上部を前記施肥パイプ１２に接続し、ノズル管１７の下端に先鋭な突起部（打ち込み突起）２９を備えてその上部にノズル孔１６を開口し、且つノズル管１７の上部に草や土等の付着を除去する草除去スプリング（以下単にスプリングと言う）３０を嵌挿支持したノズル部構造としている。
【００１８】
図示例のスプリング３０はコイルスプリングを円錐形状に形成してなり、その小径部をノズル管１７の上部に取付固定するに当たり、先ずノズル管１７の取付固定部分にビニールチュウブ等の取付ベース３１を嵌め込む。次いで、この取付ベース３１に上記小径部を嵌挿した状態で、当該小径部にゴムパイプ等の弾力性を有するスペーサ３２を外装し、スペーサ３２の外周にホースバンド等からなる取付具３３を嵌挿する。
【００１９】
そして、取付具３３を緊締しスプリング３０の小径部を取付ベース３１とスペーサ３２を介し弾力的に挟持した状態で取付固定する構成としている。
この取付固定状態においてスプリング３０の自由端（下部）に形成される大径部は、ノズル管１７のノズル孔１６の近傍上方位置において、その直径中心部にノズル管１７を位置させたフリーな状態で支持される。これによりノズル管１７の打ち込み挿入に伴いスプリング３０が圧縮される際に、大径部がノズル管１７の表面に強く接触し齧る等の不具合を回避することができる。
【００２０】
以上のように構成されるノズル部構造による施肥作業は、ノズル作動機構１５の回転アーム２３を上死点から矢印方向へ回転するとノズル部１３は昇降杆２１がガイド溝２６に案内され図４の打ち込み姿勢を経て、図３で示されるようにノズル管１７は下死点に至り、突起部２９が地中の所定深さに打ち込み挿入され、ノズル孔１６から肥料を吐出し地中に施肥する。
【００２１】
このとき、ノズル管１７の突起部２９が地中に挿入しない非施肥状態では、図２で示すようにノズル管１７のノズル孔１６を含む先端部はスプリング３０の下部から露出しているので、従来のもと同様に初期の打ち込み挿入をスムースに行う。次いでノズル管１７が更に下降し地中に深く挿入されるに伴い、スプリング３０はその大径部（下端）が地面に接当し、図３で示すように徐々に圧縮される。このときスプリング３０の下部は径大な範囲でノズル管１７の周囲にある草類Ｗを地面に押接し固定する。
【００２２】
次いで図４で示すように、ノズル作動機構１５は地中施肥を終えたノズル管１７を地中から引き抜き上昇し、図５で示す上死点に向けて上昇したのち再び下降せしめる。このときノズル管１７の引き抜き上昇に伴う圧縮解除によりスプリング３０は伸びながら、下端部で草類Ｗを地面に押し付けて残置せしめノズル管１７の初期上昇をさせるので、ノズル管１７に対する草類Ｗの付着上昇を防止することができる。またノズル管１７の中途部に付着した泥土等はスプリング３０の径小な中途部の伸びによって掻き落とされる。
【００２３】
さらに円錐形状のコイルスプリングからなるスプリング３０は、最圧縮時に上下に隣接するコイル部を互いに齟齬せしめて近接又はラップした状態にするから、スプリング圧縮抵抗を過大にすることなく大きな圧縮代を有することができる。従って、スプリング３０を長く形成し取付部２７側からノズル孔１６の近傍に至る、ノズル管１７の略全長を被覆することができると共に、スプリング３０の下方をノズル管１７に対し径方向に自由に揺動せしめることができる。尚、上記実施形態のスプリング３０は、円錐形状のコイルスプリングで形成したが、これに限ることなく基部側と先端部側とを略同一径のコイルスプリングで構成することもできる。
【産業上の利用可能性】
【００２４】
この発明の地中供給資材の供給作業機におけるノズル部構造は、田畑等の圃場に対し機体を走行させながら、地中供給資材としての肥料或いは消毒液等を地中に供給する施肥機並びに消毒機等に好適に使用することができる。
【図面の簡単な説明】
【００２５】
【図１】施肥機の側面図である。
【図２】ノズル部のスプリングの取付構造を一部破断をして示す側面図である。
【図３】ノズル管の地中施肥状態を示す側面図である。
【図４】ノズル管の引き抜き上昇姿勢を示す側面図である。
【図５】ノズル管の最上昇状態を示す側面図である。
【符号の説明】
【００２６】
１    施肥機（供給作業機）
８    施肥作業部
１３  ノズル部
１５  ノズル作動機構
１６  ノズル孔
１７  ノズル管
２１  昇降杆
２９  突起部
３０  スプリング
【図１】
2005124469.tif 000003
【図２】
2005124469.tif 000004
【図３】
2005124469.tif 000005
【図４】
2005124469.tif 000006
【図５】
2005124469.tif 000007